(57)【要約】【課題】従来よりも簡易な操作で、ネットワーク上に接続された他の機器における複数の設定項目の設定値を設定することができる。【解決手段】表示入力装置は、操作受付部と、表示制御部と、設定値受付部と、通信制御部とを備えている。表示制御部は、表示ディスプレイに、複数の設定項目が第１の方向に沿って列挙されてなる設定項目リスト、および、複数の設定項目のうち何れか１つの設定項目に対する複数の設定値が第１の方向とは異なる第２の方向に沿って列挙されてなる設定値リストを、互いに交差させて表示させる。通信制御部は、設定値受付部により設定後の設定値が受け付けられ、表示ディスプレイ上の予め定められた送信対象領域に向けてスクロール操作を受け付けた場合には、送信対象領域に対応する電子機器に対して、設定後の設定値を通信部に送信させる。【選択図】図５
2015191411.tif 000002
【特許請求の範囲】
【請求項１】
表示ディスプレイと、
前記表示ディスプレイの前面に配置されるタッチパネルと、
前記タッチパネルに対するユーザー操作を受け付ける操作受付部と、
前記操作受付部により受け付けられたユーザー操作に応じて、前記表示ディスプレイによる表示動作を制御する表示制御部と、
前記操作受付部により受け付けられたユーザー操作に応じて、複数の設定項目について設定値の設定を受け付ける設定値受付部と、
ネットワーク上に接続された電子機器と通信が可能な通信部と、
前記通信部によるデータの通信を制御する通信制御部と、を備え、
前記表示制御部は、前記表示ディスプレイに、前記複数の設定項目が第１の方向に沿って列挙されてなる設定項目リスト、および、前記複数の設定項目のうち何れか１つの設定項目に対する複数の設定値が前記第１の方向とは異なる第２の方向に沿って列挙されてなる設定値リストを、互いに交差させて表示させ、前記操作受付部が前記第１の方向へのスクロール操作を受け付けた場合には、前記設定項目リストをスクロール表示させるとともに、前記設定値リストと交差した交差領域に表示された設定項目に対する複数の設定値を前記設定値リストに表示させ、前記操作受付部が前記第２の方向へのスクロール操作を受け付けた場合には、前記設定値リストをスクロール表示させ、
前記設定値受付部は、前記操作受付部が受け付けたスクロール操作により、前記交差領域に表示された設定値を、設定後の設定値として受け付け、
前記通信制御部は、前記設定値受付部により前記設定後の設定値が受け付けられ、前記表示ディスプレイ上の予め定められた送信対象領域に向けてスクロール操作を受け付けた場合には、前記送信対象領域に対応する電子機器に対して、前記設定後の設定値を前記通信部に送信させる、表示入力装置。
【請求項２】
前記表示制御部は、前記送信対象領域を、前記交差領域に接する位置に前記第１の方向および前記第２の方向とは異なる第３の方向に沿って表示させる、請求項１に記載の表示入力装置。
【請求項３】
前記第１の方向は、縦方向または横方向の一方の方向であり、
前記第２の方向は、縦方向または横方向の他方の方向であり、
前記第３の方向は、前記第１の方向と前記第２の方向との間の方向である、請求項２に記載の表示入力装置。
【請求項４】
前記操作受付部が前記交差領域から前記表示ディスプレイ上の予め定められたプログラム登録領域に向けてスクロール操作を受け付けた場合には、前記交差領域に表示された設定値を複数の設定項目に対する設定値の組み合わせであるプログラムとして受け付けるプログラム受付部を、更に備え、
前記通信制御部は、前記設定値受付部により前記プログラム登録領域から前記送信対象領域に向けてスクロール操作を受け付けた場合には、前記送信対象領域に対応する電子機器に対して、前記プログラムに示される設定値を前記通信部に送信させる、請求項１に記載の表示入力装置。
【請求項５】
前記表示制御部は、前記設定項目リストおよび前記設定値リストを循環してスクロール表示させる、請求項１に記載の表示入力装置。
【請求項６】
タッチパネルに対するユーザー操作を受け付ける操作受付部と、
前記操作受付部により受け付けられたユーザー操作に応じて、表示ディスプレイによる表示動作を制御する表示制御部と、
前記操作受付部により受け付けられたユーザー操作に応じて、複数の設定項目について設定値の設定を受け付ける設定値受付部と、
ネットワーク上に接続された電子機器と通信が可能な通信部によるデータの通信を制御する通信制御部として、コンピューターを機能させ、
更に、前記表示制御部が、前記表示ディスプレイに、前記複数の設定項目が第１の方向に沿って列挙されてなる設定項目リスト、および、前記複数の設定項目のうち何れか１つの設定項目に対する複数の設定値が前記第１の方向とは異なる第２の方向に沿って列挙されてなる設定値リストを、互いに交差させて表示させ、前記操作受付部が前記第１の方向へのスクロール操作を受け付けた場合には、前記設定項目リストをスクロール表示させるとともに、前記設定値リストと交差した交差領域に表示された設定項目に対する複数の設定値を前記設定値リストに表示させ、前記操作受付部が前記第２の方向へのスクロール操作を受け付けた場合には、前記設定値リストをスクロール表示させ、
前記設定値受付部が、前記操作受付部が受け付けたスクロール操作により、前記交差領域に表示された設定値を、設定後の設定値として受け付け、
前記通信制御部が、前記設定値受付部により前記設定後の設定値が受け付けられ、前記表示ディスプレイ上の予め定められた送信対象領域に向けてスクロール操作を受け付けた場合には、前記送信対象領域に対応する電子機器に対して、前記設定後の設定値を前記通信部に送信させるように、コンピューターを機能させる表示入力制御プログラム。
【発明の詳細な説明】
【技術分野】
【０００１】
本発明は、表示入力装置、および表示入力制御プログラムに関し、特に、ネットワーク上に接続された他の機器における複数の設定項目の設定値を設定する技術に関する。
【背景技術】
【０００２】
近年、機器の高機能化に伴い、多数の設定項目を有する画像形成装置、スマートフォン等の携帯端末、およびパーソナルコンピューター等が登場している。これらの機器は表示ディスプレイを有し、当該表示ディスプレイに、複数の設定項目が示された設定項目選択画面が表示される。設定項目選択画面において設定項目の選択を受け付けると、当該選択された設定項目において変更可能な設定値の候補が示された設定値設定画面が表示され、当該設定値設定画面におけるユーザー操作に基づき、設定値の設定を受け付ける。特許文献１には、表示ディスプレイの前面にタッチパネルを配置し、タッチ操作等により設定値の設定を受け付けることで、より直感的な操作で設定値の設定を行うことができる技術が開示されている。
【０００３】
また、設定値の設定を行った後、当該設定値をネットワーク上に接続された他の機器に向けて送信することで、他の機器における設定値を設定する技術も知られている。
【先行技術文献】
【特許文献】
【０００４】
【特許文献１】特開２０１３−２１８５２２号公報
【発明の概要】
【発明が解決しようとする課題】
【０００５】
しかしながら、上記の従来技術では、ある設定項目の設定値の設定を行った後、続けて他の設定項目の設定値の設定を行う場合には、再度設定項目選択画面に戻って、当該設定項目選択画面で所望の設定項目を選択し直す必要がある。複数の設定項目の設定値を設定するために設定項目選択画面と設定値設定画面とを行き来する必要があるため、操作面で煩雑でありユーザー利便性を欠く。また、他の機器における設定値を設定する場合には、設定値の設定後更に、ネットワーク上の機器を選択する機器選択画面において設定値を送信する機器を選択する必要がある。
【０００６】
本発明は、上記の事情に鑑みなされたものであり、従来よりも簡易な操作で、ネットワーク上に接続された他の機器における複数の設定項目の設定値を設定することができる表示入力装置、および表示入力制御プログラムを提供することを目的とする。
【課題を解決するための手段】
【０００７】
本発明の一局面にかかる表示入力装置は、表示ディスプレイと、前記表示ディスプレイの前面に配置されるタッチパネルと、前記タッチパネルに対するユーザー操作を受け付ける操作受付部と、前記操作受付部により受け付けられたユーザー操作に応じて、前記表示ディスプレイによる表示動作を制御する表示制御部と、前記操作受付部により受け付けられたユーザー操作に応じて、複数の設定項目について設定値の設定を受け付ける設定値受付部と、ネットワーク上に接続された電子機器と通信が可能な通信部と、前記通信部によるデータの通信を制御する通信制御部と、を備え、前記表示制御部は、前記表示ディスプレイに、前記複数の設定項目が第１の方向に沿って列挙されてなる設定項目リスト、および、前記複数の設定項目のうち何れか１つの設定項目に対する複数の設定値が前記第１の方向とは異なる第２の方向に沿って列挙されてなる設定値リストを、互いに交差させて表示させ、前記操作受付部が前記第１の方向へのスクロール操作を受け付けた場合には、前記設定項目リストをスクロール表示させるとともに、前記設定値リストと交差した交差領域に表示された設定項目に対する複数の設定値を前記設定値リストに表示させ、前記操作受付部が前記第２の方向へのスクロール操作を受け付けた場合には、前記設定値リストをスクロール表示させ、前記設定値受付部は、前記操作受付部が受け付けたスクロール操作により、前記交差領域に表示された設定値を、設定後の設定値として受け付け、前記通信制御部は、前記設定値受付部により前記設定後の設定値が受け付けられ、前記表示ディスプレイ上の予め定められた送信対象領域に向けてスクロール操作を受け付けた場合には、前記送信対象領域に対応する電子機器に対して、前記設定後の設定値を前記通信部に送信させる、表示入力装置である。
【０００８】
また、本発明の一局面にかかる表示入力制御プログラムは、タッチパネルに対するユーザー操作を受け付ける操作受付部と、前記操作受付部により受け付けられたユーザー操作に応じて、表示ディスプレイによる表示動作を制御する表示制御部と、前記操作受付部により受け付けられたユーザー操作に応じて、複数の設定項目について設定値の設定を受け付ける設定値受付部と、ネットワーク上に接続された電子機器と通信が可能な通信部によるデータの通信を制御する通信制御部として、コンピューターを機能させ、更に、前記表示制御部が、前記表示ディスプレイに、前記複数の設定項目が第１の方向に沿って列挙されてなる設定項目リスト、および、前記複数の設定項目のうち何れか１つの設定項目に対する複数の設定値が前記第１の方向とは異なる第２の方向に沿って列挙されてなる設定値リストを、互いに交差させて表示させ、前記操作受付部が前記第１の方向へのスクロール操作を受け付けた場合には、前記設定項目リストをスクロール表示させるとともに、前記設定値リストと交差した交差領域に表示された設定項目に対する複数の設定値を前記設定値リストに表示させ、前記操作受付部が前記第２の方向へのスクロール操作を受け付けた場合には、前記設定値リストをスクロール表示させ、前記設定値受付部が、前記操作受付部が受け付けたスクロール操作により、前記交差領域に表示された設定値を、設定後の設定値として受け付け、前記通信制御部が、前記設定値受付部により前記設定後の設定値が受け付けられ、前記表示ディスプレイ上の予め定められた送信対象領域に向けてスクロール操作を受け付けた場合には、前記送信対象領域に対応する電子機器に対して、前記設定後の設定値を前記通信部に送信させるように、コンピューターを機能させる表示入力制御プログラムである。
【発明の効果】
【０００９】
本発明によれば、従来よりも簡易な操作で、ネットワーク上に接続された他の機器における複数の設定項目の設定値を設定することができる。
【図面の簡単な説明】
【００１０】
【図１】本発明の一実施形態にかかる表示入力装置の一例である画像形成装置の外観を示す斜視図である。
【図２】本発明の一実施形態にかかる表示入力装置の一例である画像形成装置の主要内部構成を示す機能ブロック図である。
【図３】（Ａ）〜（Ｃ）は、本発明の一実施形態にかかる表示入力装置の表示ディスプレイに表示される設定画面の一例を示す図である。
【図４】本発明の一実施形態にかかる表示入力装置の動作の流れを示すフローチャートである。
【図５】（Ａ）〜（Ｃ）は、本発明の一実施形態にかかる表示入力装置の表示ディスプレイに表示される設定画面の一例を示す図である。
【図６】（Ａ）および（Ｂ）は、本発明の一実施形態にかかる表示入力装置の表示ディスプレイに表示される設定画面の一例を示す図である。
【図７】（Ａ）〜（Ｃ）は、本発明の一実施形態にかかる表示入力装置の表示ディスプレイに表示される設定画面の一例を示す図である。
【図８】本発明の一実施形態にかかる表示入力装置を搭載した携帯端末を示す図である。
【発明を実施するための形態】
【００１１】
以下、本発明の一実施形態にかかる表示入力装置、および表示入力制御プログラムについて図面を参照して説明する。
【００１２】
図１は、本発明の一実施形態にかかる表示入力装置の一例である画像形成装置の外観を示す斜視図である。図２は、本発明の一実施形態にかかる表示入力装置の一例である画像形成装置の主要内部構成を示す機能ブロック図である。
【００１３】
画像形成装置１は、例えば、コピー機能、プリンター機能、スキャナー機能、およびファクシミリ機能のような複数の機能を兼ね備えた複合機である。図１に示すように、画像形成装置１は、装置本体２と、装置本体２の上方に配置された原稿読取部１０と、原稿読取部１０と装置本体２との間に設けられた連結部３とから概略構成される。
【００１４】
画像形成装置１が原稿読取動作を行う場合、原稿給送部４により給送されてくる原稿又は不図示の原稿載置ガラスに載置された原稿を原稿読取部１０が光学的に読み取り、画像データを生成する。原稿読取部１０により生成された画像データは内蔵ＨＤＤ又はネットワーク接続されたコンピューター等に保存される。
【００１５】
画像形成装置１が画像形成動作を行う場合、上記原稿読取動作により生成された画像データ又は内蔵ＨＤＤに記憶されている画像データ等に基づいて、画像形成部２０が、帯電、露光および現像の工程により不図示の感光体ドラム上にトナー像を形成する。給紙部３０から給紙された用紙は、用紙搬送部４０により画像形成装置１の内部に形成された用紙搬送路を搬送され、画像形成装置１内の所定の位置でトナー像が転写される。この後、用紙に定着処理が施され、排出トレイ５に排出される。
【００１６】
画像形成装置１は、上記の原稿読取部１０、画像形成部２０、給紙部３０、および用紙搬送部４０に加えて、ＨＤＤ５０、通信インターフェイス（通信部）６０、操作部７０、および制御ユニット１００等を備えている。
【００１７】
ＨＤＤ５０は、大容量の記憶装置であって、原稿読取部１０によって読み取られた画像データや、制御ユニット１００の後述する設定値受付部１０５が受け付けた設定後の設定値を記憶する。
【００１８】
通信インターフェイス６０は、ＬＡＮチップ等の通信モジュールを備え、ネットワーク接続された他の画像形成装置やパーソナルコンピューター等の電子機器との間でデータ通信を行う。図２に示す例では、通信インターフェイス６０は、インターネット網を介して６つの画像形成装置Ａ〜Ｆと通信可能に接続されている。通信インターフェイス６０は、制御ユニット１００の後述する通信制御部１０４による制御のもと、画像形成装置１において設定された設定値や当該設定値に基づいた画像形成を実行すべき旨の指示等を画像形成装置Ａ〜Ｆに送信する。
【００１９】
操作部７０は、表示ディスプレイ７１、タッチパネル７２、および操作キー部７３を備える。
【００２０】
表示ディスプレイ７１は、液晶ディスプレイ（ＬＣＤ：Liquid Crystal Display）や有機ＥＬ（ＯＬＥＤ：Organic Light-Emitting Diode）ディスプレイで構成されている。表示ディスプレイ７１は、制御ユニット１００の後述する表示制御部１０３による制御に基づき、複数の設定項目が列挙されてなる設定項目リストや設定可能な設定値の候補が列挙された設定値リスト等を表示する。
【００２１】
タッチパネル７２は、所謂抵抗膜方式や静電容量方式等のタッチパネルである。タッチパネル７２は、表示ディスプレイ７１の前面に配置され、表示ディスプレイ７１の表示画面上におけるユーザーによる接触をその接触位置と共に検知する。タッチパネル７２は、ユーザーによる接触を検知すると、その接触点の座標位置を示す検知信号を制御ユニット１００の後述する操作受付部１０２等に出力する。なお、タッチパネル７２には、表示画面への直接の接触がなくても、ユーザーの指等が表示画面に対して一定距離まで接近した場合に当該指等を検出するタッチパネルも含まれる。このため、本実施形態でいう「接触」には、表示画面への接触がなくても指等が上記一定距離まで接近したことがタッチパネル７２の機能により検出される状態も、実質的に接触したとして含まれるものとする。
【００２２】
操作キー部７３は、例えば、メニューを呼び出すメニューキー、メニューを構成するＧＵＩのフォーカスを移動させる矢印キー、メニューを構成するＧＵＩに対して確定操作を行う決定キー、数値キー等であり、表示ディスプレイ７１に表示される設定メニューに対する操作をユーザーから受け付ける。
【００２３】
制御ユニット１００は、ＣＰＵ(Central Processing Unit)、ＲＡＭ（Random Access Memory）、およびＲＯＭ（Read Only Memory）等から構成される。制御ユニット１００は、上記のＲＯＭ又はＨＤＤ５０に記憶された表示入力制御プログラムが上記のＣＰＵにより実行されることにより、制御部１０１、操作受付部１０２、表示制御部１０３、通信制御部１０４、設定値受付部１０５、およびプログラム受付部１０６として機能する。なお、制御ユニット１００の制御部１０１、操作受付部１０２、表示制御部１０３、通信制御部１０４、設定値受付部１０５、およびプログラム受付部１０６は、上記の表示入力制御プログラムに基づく動作によらず、それぞれハード回路により構成されてもよい。
【００２４】
制御部１０１は、画像形成装置１全体の動作制御を司るものである。例えば、制御部１０１は、ＨＤＤ５０に記憶された各設定値やプログラムに基づき、画像形成部２０、給紙部３０、用紙搬送部４０等を制御して、ユーザー所望の画像を用紙に形成させる。
【００２５】
操作受付部１０２は、タッチパネル７２から出力される検知信号に基づき、ユーザーにより入力されたユーザー操作を特定する。そして、操作受付部１０２は、特定したユーザー操作を受け付け、当該ユーザー操作に対応する制御信号を表示制御部１０３、通信制御部１０４、設定値受付部１０５、プログラム受付部１０６等に出力する。
【００２６】
ここでユーザー操作には、スクロール操作（スワイプ操作ともいう）、タッチ操作、ピンチ操作等がある。例えば、ユーザーがタッチパネル７２上に指を接触させた状態で指を表示画面上でスライド移動させると、タッチパネル７２は、最初に接触を検出した初期位置から最後に接触を検出した最終位置までの各移動位置を示す検知信号を操作受付部１０２に出力する。操作受付部１０２は、タッチパネル７２から出力される上記検知信号から、ユーザーにより入力されたユーザー操作がスクロール操作であることを特定する。そして、操作受付部１０２は、スクロール操作に対応する制御信号を表示制御部１０３、通信制御部１０４、設定値受付部１０５、プログラム受付部１０６等に出力する。
【００２７】
表示制御部１０３は、操作受付部１０２が受け付けたユーザー操作に応じて、表示ディスプレイ７１による表示動作を制御する機能を有する。例えば、操作受付部１０２がスクロール操作を受け付けた場合、表示制御部１０３は、当該スクロール操作に従い表示ディスプレイ７１に表示される画像をスクロール表示させる。
【００２８】
ここで、画像形成装置１は、複数の設定項目について設定値の設定を行うとともに、当該設定した設定値を記憶すべき旨の指示や当該設定値に基づいた画像形成を実行すべき旨の指示等をネットワーク上に接続された他の画像形成装置等の電子機器に送信する設定値送信モードを有している。表示制御部１０３は、当該設定値送信モードにおいて、表示ディスプレイ７１に所定の設定画面を表示させる。
【００２９】
図３（Ａ）〜図３（Ｃ）は、表示ディスプレイ７１に表示される設定画面の一例を示す図である。図３（Ａ）に示すように、表示制御部１０３は、表示ディスプレイ７１に、画像形成装置１において設定値を設定することが可能な複数の設定項目の一覧を示す設定画面Ｄ１を表示させる。図３（Ａ）に示す例では、設定項目とともに各設定項目における現在の設定値が表示されている。
【００３０】
図３（Ｂ）に示すように、操作受付部１０２がタッチ操作により複数の設定項目のうち１つの設定項目の選択を受け付けた場合、表示制御部１０３は、表示ディスプレイ７１における中央位置に、設定画面Ｄ２が設定画面Ｄ１に重なった状態でユーザーに視認される表示を行わせる（図３（Ｃ）参照）。ここで、設定画面Ｄ２は、複数の設定項目が第１の方向（図３（Ｃ）に示す例では縦方向）に沿って列挙されてなる設定項目リストｄ１、複数の設定項目のうち何れか１つの設定項目に対する複数の設定値が第１の方向とは異なる第２の方向（図３（Ｃ）に示す例では横方向）に沿って列挙されてなる設定値リストｄ２が互いに交差している。詳細は後述するが、設定画面Ｄ２が表示された状態において、画像形成装置１は、操作受付部１０２が受け付けたスクロール操作に応じて設定項目リストｄ１および設定値リストｄ２をスクロール表示させる。
【００３１】
また、表示ディスプレイ７１上の設定項目リストｄ１と設定値リストｄ２とが交差した交差領域ｄ３に接する位置に、第１の方向および第２の方向とは異なる第３の方向（図３（Ｃ）に示す例では、斜め左下および斜め右上方向）に沿って送信対象領域ｄ６，ｄ７が設けられている。送信対象領域ｄ６，ｄ７には、画像形成装置１とインターネット網を介して接続された６つの画像形成装置Ａ〜Ｆのアイコンが表示されている。詳細は後述するが、画像形成装置１は、ユーザーにより設定値リストｄ２に列挙された設定値が送信対象領域ｄ６，ｄ７に表示された画像形成装置Ａ〜Ｆのアイコンに向けてスクロール操作（スワイプ操作）された場合に、その設定値を記憶すべき旨の指示や設定値に基づいた画像形成を実行すべき旨の指示等を画像形成装置Ａ〜Ｆに送信する。
【００３２】
また、表示ディスプレイ７１上の設定項目リストｄ１と設定値リストｄ２とが交差した交差領域ｄ３に接する位置に、第１の方向、第２の方向および第３の方向とは異なる第４の方向（図３（Ｃ）に示す例では、斜め左上方向および斜め右下方向）に沿ってプログラム登録領域ｄ４，ｄ５が設けられている。詳細は後述するが、画像形成装置１は、ユーザーにより設定値リストｄ２に列挙された設定値が当該プログラム登録領域ｄ４，ｄ５に向けてスクロール操作（スワイプ操作）された場合に、その設定値をプログラムにおける設定値として受け付ける。
【００３３】
通信制御部１０４は、通信インターフェイス６０を制御して、ネットワーク接続された他の画像形成装置やパーソナルコンピューター等の電子機器との間でデータ通信を行わせる。
【００３４】
設定値受付部１０５は、操作受付部１０２により受け付けられたユーザー操作に応じて、各設定項目について設定値の設定を受け付け、当該設定値をＨＤＤ５０に記憶させる。
【００３５】
プログラム受付部１０６は、操作受付部１０２により受け付けられたユーザー操作に応じて、複数の設定項目に対する設定値の組み合わせであるプログラムを受け付ける。そして、プログラム受付部１０６は、当該受け付けたプログラムをＨＤＤ５０に記憶させる。
【００３６】
続いて、上記の構成を備える画像形成装置１の動作について説明する。図４は、本発明の一実施形態にかかる表示入力装置の動作の流れを示すフローチャートである。また、図５（Ａ）〜図５（Ｃ）、図６（Ａ）、および図６（Ｂ）は、表示ディスプレイ７１に表示される設定画面の一例を示す図である。
【００３７】
画像形成装置１の制御部１０１は、まず、設定値送信モードに移行するか否かを判定する（ステップＳ１０）。設定値送信モードでは、画像形成装置１は、複数の設定項目について設定値の設定を行うとともに、当該設定した設定値を記憶すべき旨の指示や当該設定値に基づいた画像形成を実行すべき旨の指示等をネットワーク上に接続された他の画像形成装置等の電子機器に送信する。表示ディスプレイ７１に設定値送信モードに移行するためのボタンが表示されている場合には、当該ボタンが表示されたタッチパネル７２上の位置に接触するタッチ操作を操作受付部１０２が受け付けたときに、設定値送信モードに移行する。また、操作キー部７３に設定値送信モードを呼び出す専用のキーが設けられている場合には、当該専用のキーが押下されたときに、設定値送信モードに移行する。
【００３８】
設定値送信モードに移行した場合（ステップＳ１０においてＹＥＳ）、表示制御部１０３は、図３（Ａ）に示されるように、画像形成装置において設定値を設定することが可能な複数の設定項目の一覧を示す設定画面Ｄ１を表示ディスプレイ７１に表示させる（ステップＳ１１）。
【００３９】
そして、表示制御部１０３は、設定画面Ｄ１が表示された状態において、操作受付部１０２がタッチ操作により複数の設定項目のうち１つの設定項目の選択を受け付けたか否かを判定する（ステップＳ１２）。
【００４０】
１つの選択項目の選択を受け付けた場合（ステップＳ１２においてＹＥＳ）、表示制御部１０３は、表示ディスプレイ７１に、設定画面Ｄ２が設定画面Ｄ１に重なった状態でユーザーに視認される表示を行わせる（ステップＳ１３）。この際、表示制御部１０３は、表示ディスプレイ７１上の設定項目リストｄ１と設定値リストｄ２とが交差した交差領域ｄ３に接する位置に、第１の方向および第２の方向とは異なる第３の方向に沿って送信対象領域ｄ６，ｄ７を表示させる。
【００４１】
また、表示制御部１０３は、設定項目リストｄ１と設定値リストｄ２とが交差した交差領域ｄ３に、ステップＳ１２の処理において選択を受け付けた設定項目を表示させる。また、表示制御部１０３は、交差領域ｄ３に表示された設定項目に対する複数の設定値を設定値リストｄ２に表示させる。図３（Ｂ）および図３（Ｃ）に示す例では、「原稿サイズ」が設定項目として選択されているため、設定値リストｄ２には、「原稿サイズ」の設定項目において変更可能な複数の設定値“Ａ３”“Ａ４”“Ｂ３”等が表示されている。なお、交差領域ｄ３には、「原稿サイズ」の設定項目における現在の設定値である“Ａ４”が表示されている。
【００４２】
表示制御部１０３は、設定画面Ｄ２が表示された状態において、操作受付部１０２が縦方向へのスクロール操作を受け付けたか否かを判定する（ステップＳ１４）。
【００４３】
縦方向へのスクロール操作を受け付けた場合（ステップＳ１４においてＹＥＳ）、表示制御部１０３は、設定項目リストｄ１をスクロール操作させるとともに、設定項目リストｄ１と設定値リストｄ２とが交差した交差領域ｄ３に表示された設定項目に対する複数の設定値を設定値リストｄ２に表示させる（ステップＳ１５）。図５（Ａ）に示す例では、図３（Ｃ）に示される状態から縦方向へのスクロール操作を受け付け、設定項目リストｄ１をスクロール表示させた結果、交差領域ｄ３に「濃度」の設定項目が表示されている。この場合、設定値リストｄ２に示される設定値が、「原稿サイズ」の設定項目に対する設定値から「濃度」の設定項目に対する設定値に切り替わっている。
【００４４】
また、表示制御部１０３は、設定画面Ｄ２が表示された状態において、操作受付部１０２が横方向へのスクロール操作を受け付けたか否かを判定する（ステップＳ１６）。
【００４５】
横方向へのスクロール操作を受け付けた場合（ステップＳ１６においてＹＥＳ）、表示制御部１０３は、設定値リストｄ２をスクロール表示させる（ステップＳ１７）。図５（Ｂ）に示す例では、図５（Ａ）に示される状態から横方向へのスクロール操作を受け付け、第１の設定値リストｄ２をスクロール表示させた結果、設定項目リストｄ１と設定値リストｄ２とが交差した交差領域ｄ３に、「濃度」の設定項目の設定値として「＋１」が表示されている。また、図６（Ａ）に示す例では、図３（Ｃ）に示される状態から横方向へのスクロール操作を受け付け、設定値リストｄ２をスクロール表示させた結果、設定項目リストｄ１と設定値リストｄ２とが交差した交差領域ｄ３に、「原稿サイズ」の設定項目の設定値として「Ａ５」の設定値が表示されている。
【００４６】
また、表示制御部１０３は、設定項目リストｄ１および設定値リストｄ２をスクロール表示させる際には、設定項目および設定値を循環して表示させる。図３（Ｃ）に示す例では、設定項目リストｄ１の一番上の欄に「ページ集約」の設定項目が表示されており、設定項目リストｄ１の一番下の欄に「排出先」の設定項目が表示されている。そして、その状態から縦方向へのスクロール操作を受け付けると、設定項目リストｄ１の設定項目が循環して表示され、図５（Ａ）に示すように、設定項目リストｄ１の一番上の欄には「排出先」の設定項目が表示される。
【００４７】
設定値受付部１０５は、上記のステップＳ１７の処理において、設定項目リストｄ１と設定値リストｄ２とが交差した交差領域ｄ３に表示される設定項目の設定値が変更された場合、その設定値を設定後の設定値として受け付ける（ステップＳ１８）。
【００４８】
表示制御部１０３は、設定画面Ｄ２が表示された状態において、操作受付部１０２が斜め方向へのスクロール操作（スワイプ操作）を受け付けたか否かを判定する（ステップＳ１９）。より具体的には、表示制御部１０３は、操作受付部１０２が、設定項目リストｄ１と設定値リストｄ２とが交差した交差領域ｄ３から、送信対象領域ｄ６，ｄ７に向けてスクロール操作（スワイプ操作）を受け付けたか否かを判定する。
【００４９】
操作受付部１０２が斜め方向へのスクロール操作を受け付けた場合（ステップＳ１９においてＹＥＳ）、設定値受付部１０５は、交差領域ｄ３に表示された設定値を送信対象の設定値として受け付ける（ステップＳ２０）。図５（Ｃ）に示す例では、交差領域ｄ３から送信対象領域ｄ６の画像形成装置Ａのアイコン上に向けた斜め左下方向のスクロール操作がユーザーにより行われており、この場合設定値受付部１０５は、交差領域ｄ３に表示された設定値「＋１」を画像形成装置Ａに送信する設定値として受け付ける。また、図６（Ｂ）に示す例では、設定値受付部１０５は、交差領域ｄ３に表示された設定値「Ａ５」を画像形成装置Ａに送信する設定値として受け付ける。
【００５０】
なお、操作受付部１０２が斜め方向へのスクロール操作を受け付けた場合に、表示制御部１０３が、交差領域ｄ３に表示された設定値を送信対象領域ｄ６，ｄ７に表示させてもよい。
【００５１】
そして、表示制御部１０３は、操作受付部１０２が予め定められた設定値送信操作を受け付けたか否かを判定する（ステップＳ２１）。予め定められた設定値送信操作は、例えば、タッチパネル７２上の送信対象領域ｄ６，ｄ７を所定期間内に２度タッチする操作（ダブルタッチ操作）である。
【００５２】
設定値送信操作を受け付けた場合（ステップＳ２１においてＹＥＳ）、通信制御部１０４は、設定値受付部１０５が受け付けた送信対象の設定値を、通信インターフェイス６０に、送信対象領域ｄ６，ｄ７に対応する画像形成装置に向けて送信させる（ステップＳ２２）。この際、通信制御部１０４は、設定値とともに当該設定値を記憶すべき旨の指示や当該設定値に基づいた画像形成を実行すべき旨の指示を送信させてもよい。図５（Ｃ）に示す例では、送信対象領域ｄ６の画像形成装置Ａのアイコンをダブルタッチする操作がユーザーにより入力された場合、通信制御部１０４は、通信インターフェイス６０に、「濃度」の設定項目の設定値である「＋１」の設定値を画像形成装置Ａに向けて送信させる。
【００５３】
なお、予め定められた設定値送信操作を操作受付部１０２が受け付けた場合に、通信制御部１０４が送信対象の設定値を送信させる場合を説明したが、本発明は必ずしもこの場合に限られない。操作受付部１０２が、設定項目リストｄ１と設定値リストｄ２とが交差した交差領域ｄ３から、送信対象領域ｄ６，ｄ７に向けてスクロール操作（スワイプ操作）を受け付けた際に、通信制御部１０４が、設定値受付部１０５により受け付けられた設定後の設定値を通信インターフェイス６０に送信させてもよい。
【００５４】
ステップＳ２２の処理後、表示制御部１０３は、操作受付部１０２が予め定められた設定値送信終了操作を受け付けたか否かを判定する（ステップＳ２３）。予め定められた設定値送信終了操作は、例えば、タッチパネル７２上の設定画面Ｄ２が表示されていない位置をタッチする操作である。
【００５５】
設定値送信終了操作を受け付けない場合（ステップＳ２３においてＮＯ）、ステップＳ１４の処理に戻る。一方、設定値送信終了操作を受け付けた場合（ステップＳ２３においてＹＥＳ）、設定値送信処理を終える。
【００５６】
以下では、上記の設定値送信処理について補足する。図７（Ａ）〜図７（Ｃ）は、表示ディスプレイ７１に表示される設定画面の一例を示す図である。
【００５７】
上記の処理において、操作受付部１０２が第４の方向へのスクロール操作を受け付けた場合、すなわち交差領域ｄ３からプログラム登録領域ｄ４，ｄ５に向けてスクロール操作（スワイプ操作）を受け付けた場合には、表示制御部１０３は、交差領域ｄ３に表示された設定値をプログラム登録領域ｄ４，ｄ５に表示させる。図７（Ａ）に示す例では、交差領域ｄ３に「原稿サイズ」の設定項目の設定値として「Ａ５」が表示されており、ユーザーにより交差領域ｄ３からプログラム登録領域ｄ４に向けた斜め左上方向のスクロール操作が入力されると、交差領域ｄ３に表示された設定値「Ａ５」がプログラム登録領域ｄ４に表示される（図７（Ｂ）参照）。
【００５８】
プログラム受付部１０６は、上記の操作受付部１０２により受け付けられたユーザー操作に応じて、複数の設定項目に対する設定値の組み合わせであるプログラムを受け付ける。図７（Ｃ）に示す例では、プログラム受付部１０６は、「濃度」の設定項目の設定値である「＋１」の設定値と、「原稿サイズ」の設定項目の設定値である「Ａ５」の設定値とからなるプログラムを受け付ける。プログラム受付部１０６は、当該受け付けたプログラムをＨＤＤ５０に記憶させる。
【００５９】
通信制御部１０４は、操作受付部１０２によりプログラム登録領域ｄ４，ｄ５から送信対象領域ｄ６，ｄ７に向けてスクロール操作（スワイプ操作）を受け付けた場合には、送信対象領域ｄ６，ｄ７に対応する画像形成装置に向けて、プログラムに示される設定値を通信インターフェイス６０に送信させる。図７（Ｃ）に示す例では、通信制御部１０４は、「濃度」の設定項目の設定値である「＋１」の設定値と、「原稿サイズ」の設定項目の設定値である「Ａ５」の設定値とからなるプログラムを、画像形成装置Ａに向けて送信させる。
【００６０】
以上のように、本発明の一実施形態にかかる表示入力装置は、表示ディスプレイ７１と、表示ディスプレイ７１の前面に配置されるタッチパネル７２と、タッチパネル７２に対するユーザー操作を受け付ける操作受付部１０２と、操作受付部１０２により受け付けられたユーザー操作に応じて、表示ディスプレイ７１による表示動作を制御する表示制御部１０３と、操作受付部１０２により受け付けられたユーザー操作に応じて、複数の設定項目について設定値の設定を受け付ける設定値受付部１０５と、ネットワーク上に接続された電子機器と通信が可能な通信インターフェイス（通信部）６０と、通信インターフェイス６０によるデータの通信を制御する通信制御部１０４と、を備えている。そして、表示制御部１０３は、表示ディスプレイ７１に、複数の設定項目が第１の方向に沿って列挙されてなる設定項目リストｄ１、および、複数の設定項目のうち何れか１つの設定項目に対する複数の設定値が第１の方向とは異なる第２の方向に沿って列挙されてなる設定値リストｄ２を、互いに交差させて表示させ、操作受付部１０２が第１の方向へのスクロール操作を受け付けた場合には、設定項目リストｄ１をスクロール表示させるとともに、設定値リストｄ２と交差した交差領域ｄ３に表示された設定項目に対する複数の設定値を設定値リストｄ２に表示させ、操作受付部１０２が第２の方向へのスクロール操作を受け付けた場合には、設定値リストｄ２をスクロール表示させる。設定値受付部１０５は、操作受付部１０２が受け付けたスクロール操作により、交差領域ｄ３に表示された設定値を、設定後の設定値として受け付ける。通信制御部１０４は、設定値受付部１０５により設定後の設定値が受け付けられ、表示ディスプレイ７１上の予め定められた送信対象領域に向けてスクロール操作を受け付けた場合には、送信対象領域ｄ６，ｄ７に対応する画像形成装置（電子機器）に対して、設定後の設定値を通信インターフェイス６０に送信させる。
【００６１】
上記の構成によれば、複数の設定項目の設定値の設定を、１つの設定画面で受け付けることが可能となる。定項目の設定値の設定を行った後、続けて他の設定項目の設定値の設定を行う場合であっても、再度設定項目選択画面に戻って、当該設定項目選択画面で所望の設定項目を選択し直す必要がなく、同じ設定画面で設定値を設定することができるため、ユーザー利便性に優れる。またユーザーに必要とされる操作は、２方向のスクロール操作といった直感的な操作のみであり、従来よりも簡易な操作で複数の設定項目の設定値を設定することができる。
【００６２】
また、ユーザーは、２方向のスクロール操作で設定項目の設定値を決定した後、更に機器選択画面において設定値を送信する機器を選択する必要がなく、予め定められた送信対象領域に向けてスクロール操作を行うだけで、他の機器における設定値を設定することができる。ユーザーに必要とされる操作は上記の直感的な操作のみであり、従来よりも簡易な操作で、ネットワーク上に接続された他の機器における複数の設定項目の設定値を設定することができる。
【００６３】
なお、本発明は、上記の実施の形態の構成に限られず種々の変形が可能である。
【００６４】
上記の本発明の一実施形態にかかる表示入力装置は、画像形成装置の他に、スマートフォン等の携帯端末やパーソナルコンピューター等の電子機器に搭載することができる。図８は、本発明の一実施形態にかかる表示入力装置を搭載した携帯端末を示す図である。携帯端末５００は、表示ディスプレイ５０１とタッチパネル５０２とを備えており、表示パネル５０１には、設定画面Ｄ１およびＤ２が表示される。携帯端末５００は、複数の画像形成装置と通信可能とされており、携帯端末５００において設定された設定値を画像形成装置に向けて送信する。
【００６５】
また、上記の実施の形態では、設定画面Ｄ２に送信対象領域ｄ６，ｄ７が２つ表示される場合を示したが、本発明は必ずしもこの場合に限定されない。設定画面Ｄ２に１つの送信対象領域を表示してもよいし、３つ以上の送信対象領域を表示してもよい。
【００６６】
また、上記実施の形態で説明した表示入力制御プログラムをコンピューター読み取り可能な非一時的な記録媒体、例えば、ハードディスク、ＣＤ−ＲＯＭ、ＤＶＤ−ＲＯＭ、半導体メモリーなどに記録したものとしてもよい。
【００６７】
また上記の実施の形態では、表示入力装置の一例として画像形成装置を示したが本発明は必ずしもこの場合に限定されない。本発明の一実施形態にかかる表示入力装置は、画像形成装置の他に、例えば、タブレット端末やスマートフォン等の携帯端末、パーソナルコンピューター、テレビ等に適応することができる。
【符号の説明】
【００６８】
１      画像形成装置
２０    画像形成部
６０    通信インターフェイス
７１    表示ディスプレイ
７２    タッチパネル
１００  制御ユニット
１０１  制御部
１０２  設定値受付部
１０３  表示制御部
１０４  通信制御部
１０５  設定値受付部
１０６  プログラム受付部
ｄ１    設定項目リスト
ｄ２    設定値リスト
ｄ３    交差領域
ｄ４，ｄ５    プログラム登録領域
ｄ６，ｄ７    送信対象領域
【図１】
2015191411.tif 000003
【図２】
2015191411.tif 000004
【図３】
2015191411.tif 000005
【図４】
2015191411.tif 000006
【図５】
2015191411.tif 000007
【図６】
2015191411.tif 000008
【図７】
2015191411.tif 000009
【図８】
2015191411.tif 000010